(57)【要約】【課題】ＭＦ駆動で高い表示品質が得られる液晶表示装置を提供する【解決手段】第ｍフレームの前半（第１フィールド）では、奇数番の走査線（図では、１行、３行などで示す）だけを走査する。第ｍフレームの後半（第２フィールド）では、偶数番の走査線（図では、２行、４行などで示す）だけを走査する。これにより、全ての画素電極３に映像信号が印加される。そのとき、走査線Ｙの並び方向つまり垂直走査方向である上下方向で一の画素電極３に隣接する上下の画素電極３の正負極性を異ならせ、かつ、左右方向で互いに隣接する画素電極３の正負極性を異ならせる。【選択図】図９
2008070754.tif 000002
【特許請求の範囲】
【請求項１】
複数の信号線と複数の走査線とのそれぞれの交差部における信号線と走査線に画素トランジスタが接続され、該画素トランジスタに画素電極が接続された液晶表示装置において、
奇数番の走査線をフレームの前半または後半の期間で、偶数番の走査線を残りの期間で、それぞれ走査することにより導通した画素トランジスタと該画素トランジスタに接続された信号線を介して映像信号を画素電極に印加するとともに、走査線の並び方向である上下方向で一の画素電極に隣接する上下の画素電極に印加される映像信号の正負極性を異ならせることを特徴とする液晶表示装置。
【請求項２】
複数の信号線と複数の走査線とのそれぞれの交差部における信号線と走査線に接続された画素トランジスタと、該画素トランジスタに接続された画素電極とを備えたアレイ基板を有する液晶表示装置において、
奇数番の走査線をフレームの前半または後半の期間で、偶数番の走査線を残りの期間で、それぞれ走査することにより導通した画素トランジスタと該画素トランジスタに接続された信号線を介して映像信号を画素電極に印加するとともに、走査線の並び方向である上下方向で一の画素電極に隣接する上下の画素電極に印加される映像信号の正負極性を異ならせ、かつ、左右方向で互いに隣接する画素電極に印加される映像信号の正負極性を異ならせることを特徴とする液晶表示装置。
【請求項３】
複数の信号線と複数の走査線とのそれぞれの交差部における信号線と走査線に接続された画素トランジスタと、該画素トランジスタに接続された画素電極とを備えたアレイ基板を有する液晶表示装置において、
奇数番の走査線をフレームの前半または後半の期間で、偶数番の走査線を残りの期間で、それぞれ走査することにより導通した画素トランジスタと該画素トランジスタに接続された信号線を介して映像信号を画素電極に印加するとともに、走査線の並び方向である上下方向で一の画素電極に隣接する上下の画素電極に印加される映像信号の正負極性を異ならせ、かつ、左右方向で互いに隣接する画素電極に印加される映像信号の正負極性を同じにすることを特徴とする液晶表示装置。
【請求項４】
前記複数の走査線をフレームの全期間で走査することにより映像信号を画素電極に印加するとともに、一の画素電極に隣接する上下の画素電極に印加される映像信号の正負極性を異ならせ、かつ、一の画素電極に隣接する左右の画素電極に印加される映像信号の正負極性を異ならせることが可能なことを特徴とする請求項１ないし３のいずれかに記載の液晶表示装置。
【請求項５】
前記複数の走査線をフレームの全期間で走査することにより映像信号を画素電極に印加するとともに、上下方向で互いに隣接する画素電極に印加される映像信号の正負極性を同じにし、かつ、左右方向で互いに隣接する画素電極に印加される映像信号の正負極性を異ならせることが可能なことを特徴とする請求項１ないし３のいずれかに記載の液晶表示装置。
【発明の詳細な説明】
【技術分野】
【０００１】
本発明は、複数の信号線と複数の走査線とのそれぞれの交差部における信号線と走査線に画素トランジスタが接続され、該画素トランジスタに画素電極が接続された液晶表示装置に関する。
【背景技術】
【０００２】
アクティブマトリクス型の液晶表示装置に用いられる信号線の駆動方式、すなわち各信号線から各画素への映像信号の書き込み方式のうち、低消費電力でありながら、クロストーク、フリッカを発生させないようにした駆動方式として、２Ｈ２Ｖ反転方式が知られている（特許文献１を参照）。
【０００３】
また、低消費電力化からの要請でインターレース駆動方式が採用される場合があるが、このインターレース駆動方式における画像の向上方法について様々な提案がされている。（例えば、特許文献２を参照。）
【特許文献１】特開２００３−２１５５４０号公報
【特許文献２】特開２００４−２０６３９号公報
【発明の開示】
【発明が解決しようとする課題】
【０００４】
以下、発明が解決しようとする課題と、それを解決した本発明の実施の形態に係る液晶表示装置（以下、本発明装置）とを説明するが、課題は、本発明装置の説明の中で説明する。
【０００５】
図１は、本発明装置における画素の配置を示す図である。本発明装置では、液晶パネル１を構成するアレイ基板において、複数の信号線Ｘと複数の走査線Ｙが交差するように配置され、交差部における信号線Ｘと走査線Ｙに画素トランジスタ２が接続され、その画素トランジスタ２に画素電極３が接続される。本発明装置では、走査線駆動用ＩＣ４が、走査線Ｙを並び方向つまり垂直走査方向に走査して、画素トランジスタ２を導通させる。また、本発明装置では、信号線駆動用ＩＣ５が、導通した画素トランジスタ２と信号線Ｘを介して、画素電極３に映像信号を印加する。図示しないが、このアレイ基板に液晶層を介して対向基板が配置され、対向基板は対向電極を備える。本発明装置では、対向電極の電位を例えば一定とし、一方、画素電極３の電位は映像信号により変化させることで、液晶層での光の透過率を変化させ、これにより、液晶パネル１に画像を表示させる。
【０００６】
そのとき本発明装置は、対向電極に対する画素電極３の電位の正負極性の反転を繰り返す反転駆動を行うのだが、１フレームで全走査線を駆動するプログレッシブ駆動のときは、特に、２Ｈ２Ｖ反転駆動（以下、プログレッシブを示すＰＧをとって、ＰＧ−２Ｈ２Ｖ反転駆動という）を行う。
【０００７】
図１は、ＰＧ−２Ｈ２Ｖ反転駆動のときの任意の垂直走査期間（第ｎフレーム）と第ｎ＋１フレームにおける正負極性分布の一例についても示している。
【０００８】
第ｎフレームでは、全ての走査線Ｙを走査することにより全ての画素電極３に映像信号を印加する。そのとき、一の画素電極３に隣接する上下の画素電極３の正負極性を異ならせ、かつ、一の画素電極に隣接する左右の画素電極の正負極性を異ならせる。
【０００９】
第ｎ＋１フレームでは、第ｎフレームに対し、正負極性を反転させる。
【００１０】
図２は、ＰＧ−２Ｈ２Ｖ反転駆動で黒色と中間色の市松画像を表示させたときの第ｎフレームと第ｎ＋１フレームでの正負極性を示す図である。
【００１１】
中間色を構成する正極性の画素の第ｎフレームと第ｎ＋１フレームでの合計と、中間色を構成する負極性の画素の第ｎフレームと第ｎ＋１フレームでの合計とが等しいのでフリッカが防止される。また、左右方向に延びる１行だけを見た場合であっても同様なので、横クロストークが防止される。よって、ＰＧ−２Ｈ２Ｖ反転駆動では、高い表示品質が得られる。
【００１２】
図３は、任意の一の画素の等価回路を示す図である。図４は、ＰＧ−２Ｈ２Ｖ反転駆動のときのタイミングチャートである。図３中の記号は、それぞれ
Cp1：画素―自画素信号線間のカップリング容量
Cp2：画素―隣画素信号線間のカップリング容量
Cp3：上下画素間のカップリング容量
Clc：液晶容量
Cs：補助容量
Csig：信号線の全容量
Vcom：対向電極の電位
Vcs：補助容量配線の電位
である。
【００１３】
画素の電位は、自画素信号線の電位変動dVsig.s、隣画素信号線の電位変動dVsig.n、下画素の電位変動dVpixにより、それぞれVs、Vn、Vvの変動を受ける。これらの変動は、
Vs=Cp1/Cload×dVsig.s
Vn=Cp2/Cload×dVsig.n
Vv=Cp3/Cload×dVpix
と表すことができる。ただし、Cload＝Cp1＋Cp2+２Cp3＋Clc＋Csである。
【００１４】
ここで、図１において矢印で画素１と示された画素電極（画素１という。以下同様）と、画素２について、信号線と画素電極間、画素電極と画素電極間のカップリング容量に起因するそれぞれの電位変動量（実効値）dVp1、dVp2は、図４から、
dVp1=−1/2Vn−1/2Vs+Vv
dVp2= 1/2Vn−1/2Vs−Vv
のようになる。1/2は、画素の電位の保持期間（１フレームと同じ長さ）の半分だけに電位変動があることを示す。
【００１５】
画素１と画素２の電位変動量の差dVpaは、
dVpa=dVp2−dVp1=Vn−2Vv=Cp2/Cload×dVsig.n−2×Cp3/Cload×dVpix
で表される。このdVpaの値が大きいと、上下画素間の電位の差が大きくなり、表示ムラの原因となる。このため、dVpa=0であることが望ましい。dVpaを0に近づけるために、ここではカップリング容量Cp3を実質的に大きくすることに着目する。すなわち、上下の画素電極間に静電容量を設けることによって、カップリング容量Cp3を大きくするとともに、dVpaが０となるように静電容量の値を調整するようにする。
【００１６】
このように、ＰＧ−２Ｈ２Ｖ反転駆動では、dVpaが0となるようにカップリング容量Cp3を調整するようにしたことで、dVpaをキャンセルすることができ、表示ムラの発生を防止することができる。
【００１７】
ところで、近年、液晶ディスプレイは高解像度化（多画素化）が進み、駆動周波数が益々高速化してきている。このような状況の中、例えば、特願平２−６９７０６号公報には、駆動周波数を下げて低消費電力化をはかるマルチフィールド駆動（マルチフィールドのＭＦをとって、ＭＦ駆動という）の技術が開示されている。
【００１８】
ここで、本発明装置との比較のため、ＭＦ駆動で２Ｈ２Ｖ反転駆動（ＭＦ−２Ｈ２Ｖ反転駆動という）を行ったときについて説明する。
【００１９】
図５、図６は、ＭＦ−２Ｈ２Ｖ反転駆動のときの任意の垂直走査期間（第ｍフレーム）と第ｍ＋１フレームにおける正負極性分布の一例について示す図である。
【００２０】
第ｍフレームの前半（第１フィールド）では、奇数番の走査線（図では、１行、３行などで示す）だけを走査する。そのとき、一の画素電極３に１つの画素電極３を挟んだ上の画素電極３と当該一の画素に１つの画素電極３を挟んだ下の画素電極３の正負極性を異ならせ、かつ、一の画素電極３に隣接する左右の画素電極３の正負極性を異ならせる。
【００２１】
第ｍフレームの後半（第２フィールド）では、偶数番の走査線（図では、２行、４行などで示す）だけを走査する。そのとき、一の画素電極３に１つの画素電極３を挟んだ上の画素電極３と当該一の画素に１つの画素電極３を挟んだ下の画素電極３の正負極性を異ならせ、かつ、一の画素電極３に隣接する左右の画素電極３の正負極性を異ならせる。
【００２２】
第ｍ＋１フレームの前半（第１フィールド）では、第ｍフレームの前半に対し、正負極性を反転させる。
【００２３】
第ｍ＋１フレームの後半（第２フィールド）では、第ｍフレームの後半に対し、正負極性を反転させる。
【００２４】
ＭＦ−２Ｈ２Ｖ反転駆動による、Vs、Vn、Vvの変動は、ＰＧ−２Ｈ２Ｖ反転駆動と同じく
Vs=Cp1/Cload×dVsig.s
Vn=Cp2/Cload×dVsig.n
Vv=Cp3/Cload×dVpix
と表すことができる。
【００２５】
ここで、画素の電位変動についてＰＧ−２Ｈ２Ｖ反転駆動のときとＭＦ−２Ｈ２Ｖ反転駆動のときの違いを説明する。ここでは、Ｖｖだけに特化する。
【００２６】
図７に示すように、ＰＧ−２Ｈ２Ｖ反転駆動では、隣接する下の画素による変動がある。画素１は、隣接する下の画素がプラス極性なのでプラス側に変動する。画素２は、隣接する下の画素がプラス極性なのでプラス側に変動する。
【００２７】
一方、図８に示すように、ＭＦ−２Ｈ２Ｖ反転駆動では、隣接する上下の画素による電位変動がある。図８によれば、電位変動の態様は３種類ある。
【００２８】
例えば、図８の画素３、画素４について、信号線と画素電極間、画素電極と画素電極間のカップリング容量に起因するそれぞれの電位変動量（実効値）dVp3、dVp4は
Cp1、Cp2に起因するVs、Vn成分は２Ｈ２Ｖ反転駆動のときと変わらないから、
dVp3=−1/2Vn−1/2Vs+Vv−Vv=−1/2Vn−1/2Vs
dVp4= 1/2Vn−1/2Vs+1/2×2Vv=1/2Vn−1/2Vs＋Vv
のようになる。Vv−Vvは、上下画素によりキャンセルされることを示す。1/2×2Vvの1/2は、画素の電位の保持期間（１フレームと同じ長さ）の半分だけに電位変動があることを示す。
【００２９】
画素３と画素４の電位変動量の差dVpbは、
dVpb=dVp4−dVp3=Vn+Vv=Cp2/Cload×dVsig.n+Cp3/Cload×dVpix
となり、ＰＧ−２Ｈ２Ｖ反転駆動のdVpaとは違った値となる。
【００３０】
そのため、ＰＧ−２Ｈ２Ｖ反転駆動において、dVpaを0にするように、カップリング容量Cp3を設定すると、dVpb≒0となり、表示ムラが発生してしまう。
【００３１】
また、ＭＦ−２Ｈ２Ｖ反転駆動のときの、Cp3に起因する電位変動は、Cp1、Cp2に起因する電位変動と比べて、周波数が低いため、画素３や画素５等の電位変動に、液晶が応答してしまい、フリッカになってしまうという問題も生じる。
【００３２】
つまり、ＰＧ−２Ｈ２Ｖ反転駆動とＭＦ−２Ｈ２Ｖ反転駆動の両方で表示ムラやフリッカを防止するのは困難である。
【００３３】
また、プログレッシブ駆動では、いわゆるＶ反転駆動を行い、ＭＦ駆動では、ＭＦ−２Ｈ２Ｖ反転駆動を行う場合であっても、そのＭＦ−２Ｈ２Ｖ反転駆動では、高い表示品質が得られない。
【００３４】
本発明は、上記の課題に鑑みてなされたものであり、その目的とするところは、ＭＦ駆動で高い表示品質が得られる液晶表示装置を提供することにある。
【００３５】
また、プログレッシブ駆動でも高い表示品質が得られるようにすることが、さらなる目的である。
【課題を解決するための手段】
【００３６】
上記目的を達成するため、本発明に係る液晶表示装置は、複数の信号線と複数の走査線とのそれぞれの交差部における信号線と走査線に画素トランジスタが接続され、該画素トランジスタに画素電極が接続された液晶表示装置において、奇数番の走査線をフレームの前半または後半の期間で、偶数番の走査線を残りの期間で、それぞれ走査することにより導通した画素トランジスタと該画素トランジスタに接続された信号線を介して映像信号を画素電極に印加するとともに、走査線の並び方向である上下方向で一の画素電極に隣接する上下の画素電極に印加される映像信号の正負極性を異ならせることを特徴とする。
【００３７】
本発明に係る液晶表示装置によれば、フレームの例えば、前半で一の画素電極に映像信号を印加した場合、上下の画素電極に対しては、フレームの後半で映像信号が印加されるのだが、その際には正負極性を異ならせることで、例えば、前半の画素電極の、上の画素電極による変動が、下の画素電極による変動によりキャンセルされるので、高い表示品質を得ることができる。
【００３８】
左右方向については、例えば、互いに隣接する画素電極に印加される映像信号の正負極性を異ならせる、あるいは同じにする。
【００３９】
なお、複数の走査線をフレームの全期間で走査することにより映像信号を画素電極に印加するプログレッシブ駆動では、一の画素電極に隣接する上下の画素電極に印加される映像信号の正負極性を異ならせ、かつ、一の画素電極に隣接する左右の画素電極に印加される映像信号の正負極性を異ならせることで、高い表示品質を得ることができる。
【００４０】
また、プログレッシブ駆動では、上下方向で互いに隣接する画素電極に印加される映像信号の正負極性を同じにし、かつ、左右方向で互いに隣接する画素電極に印加される映像信号の正負極性を異ならせることで、高い表示品質を得ることができる。
【発明の効果】
【００４１】
本発明に係る液晶表示装置によれば、走査線の並び方向である上下方向で一の画素電極に隣接する上下の画素電極に印加される映像信号の正負極性を異ならせることで、上下の画素電極の一方による変動で他方による変動がキャンセルされるので、高い表示品質を得ることができる。
【発明を実施するための最良の形態】
【００４２】
以下、本発明装置の主にＭＦ駆動について図を参照して説明する。本発明装置では、dVpa=0になるように、Cp3の値が調節されているので、ＰＧ−２Ｈ２Ｖ反転駆動で表示ムラやフリッカを防止することができる。以下では、そのようなCp3であっても同様に高い表示品質が得られるＭＦ駆動を主に説明する。
【００４３】
［第１の実施の形態］
まず、第１の実施の形態に係るＭＦ駆動について説明する。
【００４４】
図９、図１０は、このＭＦ駆動のときの任意の垂直走査期間（第ｍフレーム）と第ｍ＋１フレームにおける正負極性分布の一例について示す図である。
【００４５】
第ｍフレームの前半（第１フィールド）では、奇数番の走査線だけを走査する。第ｍフレームの後半（第２フィールド）では、偶数番の走査線だけを走査する。これにより、全ての画素電極３に映像信号が印加される。そのとき、つまり、第ｍフレームの最後では、走査線Ｙの並び方向つまり垂直走査方向である上下方向で一の画素電極３に隣接する上下の画素電極３の正負極性を異ならせ、かつ、左右方向で互いに隣接する画素電極３の正負極性を異ならせる。
【００４６】
第ｍ＋１フレームの前半（第１フィールド）では、第ｍフレームの前半に対し、正負極性を反転させる。
【００４７】
第ｍ＋１フレームの後半（第２フィールド）では、第ｍフレームの後半に対し、正負極性を反転させる。
【００４８】
このようなＭＦ駆動は、同じフィールドで見れば、垂直走査方向と水平方向とで、正負極性が１画素電極ごとに反転するので、ＭＦ―Ｈ／Ｖ反転駆動という。
【００４９】
図１１は、ＭＦ―Ｈ／Ｖ反転駆動のときのタイミングチャートである。
【００５０】
画素の電位は、自画素信号線の電位変動dVsig.s、隣画素信号線の電位変動dVsig.n、下画素の電位変動dVpixにより、それぞれVs、Vn、Vvの変動を受けるが、これらの変動は、
Vs=Cp1/Cload×dVsig.s
Vn=Cp2/Cload×dVsig.n
Vv=Cp3/Cload×dVpix
と表すことができる。
【００５１】
図１１に示すように、図９の画素１、画素３について、Cp1とCp2のカップリング容量に起因する画素電位の変動の実行値はともに1/2Vn−1/2Vsである。これは、全ての画素で同じである。
【００５２】
また、図１２に示すようにCp3のカップリング容量に起因する画素電位の変動はともに０である。これは、全ての画素で同じである。
【００５３】
例えば、画素１、画素３について、電位変動量（実効値）dVp1、dVp3は、
dVp1=1/2Vn−1/2Vs+Vv−Vv=1/2Vn−1/2Vs
dVp3=1/2Vn−1/2Vs+Vv−Vv=1/2Vn−1/2Vs
となる。Vv−Vvは、画素電極に映像信号が印加されたときから、１フレームの半分の長さの期間経過後（図１２において”０”が矢印で示すタイミング）において、上に隣接する画素による変動が下に隣接する画素による変動でキャンセルされることを示す。
【００５４】
このように、Cp1、Cp2、Cp3の値によらず、dVp1＝dVp3となる。また、画素２についても、図１２に示すとおり、同様である。このように、各画素の電位変動量が等しいので、表示ムラやフリッカを防止することができる。
【００５５】
よって、第１の実施の形態では、ＰＧ駆動（ＰＧ−２Ｈ２Ｖ反転駆動）とＭＦ駆動（ＭＦ―Ｈ／Ｖ反転駆動）の両方で高い表示品質を得ることができる。
【００５６】
［第２の実施の形態］
次に、第２の実施の形態に係るＭＦ駆動について説明する。
【００５７】
図１３、図１４は、このＭＦ駆動のときの任意の垂直走査期間（第ｍフレーム）と第ｍ＋１フレームにおける正負極性分布の一例について示す図である。
【００５８】
第ｍフレームの前半（第１フィールド）では、奇数番の走査線だけを走査する。第ｍフレームの後半（第２フィールド）では、偶数番の走査線だけを走査する。これにより、全ての画素電極３に映像信号が印加される。そのとき、走査線の並び方向つまり垂直走査方向である上下方向で一の画素電極３に隣接する上下の画素電極の正負極性を異ならせ、かつ、左右方向で互いに隣接する画素電極の正負極性を同じにする。
【００５９】
第ｍ＋１フレームの前半（第１フィールド）では、第ｍフレームの前半に対し、正負極性を反転させる。第ｍ＋１フレームの後半（第２フィールド）では、第ｍフレームの後半に対し、正負極性を反転させる。
【００６０】
このようなＭＦ駆動は、同じフィールドで見れば、水平方向に並ぶ画素電極（行）ごとに正負極性が反転するので、ＭＦ―Ｈ反転駆動という。
【００６１】
例えば、図１３の画素１、画素２について、信号線と画素電極間、画素電極と画素電極間のカップリング容量に起因するそれぞれの電位変動量（実効値）dVp1、dVp2は
dVp1= −1/2Vn−1/2Vs+Vv−Vv=−1/2Vn−1/2Vs
dVp2= −1/2Vn−1/2Vs+Vv−Vv=−1/2Vn−1/2Vs
となる。Vv−Vvは、画素電極に映像信号が印加されたときから、１フレームの半分の長さの期間経過後において、上に隣接する画素による変動が下に隣接する画素による変動でキャンセルされることを示す。
【００６２】
このように、Cp1、Cp2、Cp3の値によらず、dVp1＝dVp2となる。他の画素についても、この電位変動量になるので、表示ムラやフリッカを防止することができる。
【００６３】
よって、第２の実施の形態では、ＰＧ駆動（ＰＧ−２Ｈ２Ｖ反転駆動）とＭＦ駆動（ＭＦ―Ｈ反転駆動）の両方で高い表示品質を得ることができる。
【００６４】
［第３の実施の形態］
次に、第３の実施の形態について説明する。第３の実施の形態では、同様にＭＦ―Ｈ／Ｖ反転駆動またはＭＦ―Ｈ反転駆動を行うが、ＰＧ駆動では、ＰＧ−２Ｈ２Ｖ反転駆動ではなく、Ｖ反転駆動（ＰＧ−Ｖ反転駆動という）を行う。
【００６５】
図１５は、このＰＧ−Ｖ反転駆動のときの任意の垂直走査期間（第ｎフレーム）と第ｎ＋１フレームにおける正負極性分布の一例について示す図である。
【００６６】
第ｎフレームでは、全ての走査線Ｙを走査することにより全ての画素電極３に映像信号を印加する。そのとき、走査線の並び方向つまり垂直走査方向である上下方向で互いに隣接する画素電極の正負極性を同じにし、かつ、左右方向で互いに隣接する画素電極の正負極性を異ならせる。
【００６７】
第ｎ＋１フレームでは、第ｎフレームに対し、正負極性を反転させる。
【００６８】
ＰＧ−Ｖ反転駆動においては、ＰＧ−２Ｈ２Ｖ反転駆動のように意図的にCp3を付加する必要は無いが、寄生容量として、上下画素間のカップリング容量は必ず存在するため、それをCp3とする。
【００６９】
ＰＧ−Ｖ反転駆動における、画素１、画素２の信号線と画素電極間、画素電極と画素電極間のカップリング容量に起因するそれぞれの電位変動量dVp1、dVp2は、
dVp1=+Vv
dVp2=+Vv
である。
【００７０】
画面上部の画素については、dVsig.s=0、dVsig.n＝0のため、Vs=0、Vn=0であり、このようになる。
【００７１】
これに対し、画面下部の画素については、dVp1=dVp2=Vn−Vs+Vvである。
【００７２】
ｎ行目画素については、dVp1=dVp2=n/総走査線数×(Vn−Vs)+Vvである。
【００７３】
よって、ＰＧ−Ｖ反転駆動においては、dVp1=dVp2となり、Cp1、Cp2、Cp3の値によらず、表示ムラやフリッカを防止することができる。
【００７４】
ここで、本発明装置との比較のため、ＭＦ駆動でＶ反転駆動（ＭＦ−Ｖ反転駆動という）を行ったときについて説明する。
【００７５】
図１６、図１７は、そのときの任意の垂直走査期間（第ｍフレーム）と第ｍ＋１フレームにおける正負極性分布の一例について示す図である。
【００７６】
第ｍフレームの前半（第１フィールド）では、奇数番の走査線だけを走査する。第ｍフレームの後半（第２フィールド）では、偶数番の走査線だけを走査する。これにより、全ての画素電極３に映像信号が印加される。そのとき、上下方向で互いに隣接する画素電極の正負極性を同じにし、かつ、左右方向で互いに隣接する画素電極の正負極性を異ならせる。
【００７７】
第ｍ＋１フレームの前半（第１フィールド）では、第ｍフレームの前半に対し、正負極性を反転させる。第ｍ＋１フレームの後半（第２フィールド）では、第ｍフレームの後半に対し、正負極性を反転させる。
【００７８】
ＭＦ−Ｖ反転駆動における、画素３、画素４の信号線と画素電極間、画素電極と画素電極間のカップリング容量に起因するそれぞれの電位変動量dVp3、dVp4は画面上部の画素において
dVp3=+Vv
dVp4=1/2(Vn−Vs)−Vv
dVp=dVp4−dVp3=1/2(Vn−Vs)−2Vv
となる。そのため、Cp3をかなり小さくし、かつ、Vn=Vsになるように、Cp1とCp2を調整しなければ、dVpを0に近づけるのは困難である。Cp3を小さくするためには、画素電極間も離さなければならず、これは画素開口率の低下の原因ともなる。また、Vv≠０のため、フリッカも発生してしまう。
【００７９】
その点、本発明装置では、これまでの説明の通り、Cp1、Cp2、Cp3の値によらず、表示ムラやフリッカを防止することができ、高い表示品質が得られる。
【００８０】
なお、本発明装置では、奇数番の走査線をフレームの前半の期間で、偶数番の走査線を後半の期間で、それぞれ走査したが、奇数番の走査線をフレームの後半の期間で、偶数番の走査線を前半の期間で、それぞれ走査するようにしてもよい。
【図面の簡単な説明】
【００８１】
【図１】本発明の実施の形態に係る液晶表示装置における画素の配置を示す図である。
【図２】黒色と中間色の市松画像を表示させたときの第ｎフレームと第ｎ＋１フレームでの正負極性を示す図である。
【図３】任意の一の画素の等価回路を示す図である。
【図４】ＰＧ−２Ｈ２Ｖ反転駆動のときのタイミングチャートである。
【図５】ＭＦ−２Ｈ２Ｖ反転駆動のときの第ｍフレームにおける正負極性分布の一例について示す図である。
【図６】ＭＦ−２Ｈ２Ｖ反転駆動のときの第ｍ＋１フレームにおける正負極性分布の一例について示す図である。
【図７】ＰＧ−２Ｈ２Ｖ反転駆動のときの画素の電位変動を示す図である。
【図８】ＭＦ−２Ｈ２Ｖ反転駆動のときの画素の電位変動を示す図である。
【図９】ＭＦ―Ｈ／Ｖ反転駆動のときの第ｍフレームにおける正負極性分布の一例について示す図である。
【図１０】ＭＦ―Ｈ／Ｖ反転駆動のときの第ｍ＋１フレームにおける正負極性分布の一例について示す図である。
【図１１】ＭＦ―Ｈ／Ｖ反転駆動のときのタイミングチャートである。
【図１２】ＭＦ―Ｈ／Ｖ反転駆動のときの画素の電位変動を示す図である。
【図１３】ＭＦ―Ｈ反転駆動のときの第ｍフレームにおける正負極性分布の一例について示す図である。
【図１４】ＭＦ―Ｈ反転駆動のときの第ｍ＋１フレームにおける正負極性分布の一例について示す図である。
【図１５】ＰＧ―Ｖ反転駆動のときの第ｎ、ｎ＋１フレームにおける正負極性分布の一例について示す図である。
【図１６】ＭＦ―Ｖ反転駆動のときの第ｍフレームにおける正負極性分布の一例について示す図である。
【図１７】ＭＦ―Ｖ反転駆動のときの第ｍ＋１フレームにおける正負極性分布の一例について示す図である。
【符号の説明】
【００８２】
１  液晶パネル
２  画素トランジスタ
３  画素電極
４  走査線駆動用ＩＣ
５  信号線駆動用ＩＣ
【図１】
2008070754.tif 000003
【図２】
2008070754.tif 000004
【図３】
2008070754.tif 000005
【図４】
2008070754.tif 000006
【図５】
2008070754.tif 000007
【図６】
2008070754.tif 000008
【図７】
2008070754.tif 000009
【図８】
2008070754.tif 000010
【図９】
2008070754.tif 000011
【図１０】
2008070754.tif 000012
【図１１】
2008070754.tif 000013
【図１２】
2008070754.tif 000014
【図１３】
2008070754.tif 000015
【図１４】
2008070754.tif 000016
【図１５】
2008070754.tif 000017
【図１６】
2008070754.tif 000018
【図１７】
2008070754.tif 000019